(57)【要約】【課題】脱穀装置において、扱室から引き継いだ藁屑類を処理室で高性能で脱穀処理する。【解決手段】扱胴の軸心が前後方向に軸架されている扱室の側方に、処理胴の軸心が前後方向に軸架されている処理室を設け、扱室及び処理室の下方に唐箕から後側に向けて送風される選別風路を設け、選別風路には揺動選別棚を前後往復揺動自在に設け、選別風路の終端側に塵埃類排出用の横断流ファンを設ける。処理室の後処理室の前端部と扱室の後端部を送塵通路で連通し、後処理室に軸架している後処理胴の前端部の前処理歯を、回転下手側が後側に後退する後退角を形成し、後処理室の後処理胴の後端部に設ける後処理歯を、回転下手側が後側に後退する後退角を形成し、後処理胴の中間部の中間処理歯を、回転軸心に対して略直交するような板体で側面視四辺形状に構成し、この中間処理歯の回転側面に切り刃を接近するように設ける。【選択図】        図１
2006006205.tif 000002
【特許請求の範囲】
【請求項１】
扱胴３の軸心が前後方向に軸架されている扱室２の側方に処理胴１１の軸心が前後方向に軸架されている処理室８を設け、前記扱室２及び処理室８の下方に唐箕１４から後側に向けて送風される選別風路１６を設け、該選別風路１６には揺動選別棚１７を前後往復揺動自在に設け、前記選別風路１６の終端側に塵埃類排出用の横断流ファン１３を設け、処理室８の後処理室８ｂの始端部と扱室２の終端部とを送塵通路９により連通し、後処理室８ｂに軸架している後処理胴１１ｂの前記送塵通路９に対応する始端部の板体の前処理歯２８，…を回転下手側が終端側に後退する後退角を形成するように構成し、後処理室８ｂの終端側の前記選別風路１６の終端部に対応する後処理胴１１ｂの終端部の板体の後処理歯２９，…を回転下手側が終端側に後退する後退角を形成するように構成し、後処理胴１１ｂの中間部の中間処理歯３１，…を回転軸心に対して略直交する板体で構成し、且つ、中間処理歯３１，…の回転側面に接近する切り刃３２，…を設けたことを特徴とする脱穀選別装置。
【請求項２】
後処理室１１ｂの始端部から終端部にかけて藁屑類を終端側に案内するガイド板３３，…を設け、後処理胴１１ｂの前処理歯２８，…及び中間処理歯３１，…を板体で側面視略四辺形に構成したことを特徴とする請求項１に記載の脱穀選別装置。
【請求項３】
処理室８を扱室２の側方に位置する前処理胴１１ａの設けられている前処理室８ａと前処理室８ａの後端部から後方に延長され且つ後処理胴１１ｂの設けられている後処理室８ｂにより構成し、揺動選別棚１７で選別された二番物を前処理室８ａの始端側に供給可能に構成し、扱室２の受網４を側方の前処理室８ａに対向する上受網４ａと下方の揺動選別棚１７に対向する下受網４ｂとに分割すると共に、上受網４ａの目合いを下受網４ｂの目合いよりも大きく構成し、前記前処理室８ａの前処理胴１１ａの下方には穀粒の漏下しない孔無しの処理樋３７に配置したことを特徴とする請求項１に記載の脱穀選別装置。
【発明の詳細な説明】
【技術分野】
【０００１】
本発明は、脱穀選別装置に関するものである。
【背景技術】
【０００２】
扱室で脱穀した脱穀物を送風唐箕からの送風と揺動選別棚の揺動により風選処理する風選室を設け、風選室の終端側には塵埃類を機外に排出する横断流ファンを設け、扱室の側方に処理胴内装の処理室を設けて、扱室からの藁屑類を処理室に取り込み処理胴で脱穀処理した脱穀物を処理室の終端側から風選室の終端部に排出するように構成したものは公知である（特許文献１）。
【特許文献１】特開２００２−３１５４２８号公報
【発明の開示】
【発明が解決しようとする課題】
【０００３】
扱室で脱穀した脱穀物を送風唐箕からの送風と揺動選別棚の揺動により風選処理する風選室を設け、風選室の終端側には塵埃類を機外に排出する横断流ファンを設け、扱室の側方に処理胴内装の処理室を設けて、扱室からの藁屑類を処理室に取り込み処理胴で脱穀処理した脱穀物を処理室の終端側から風選室の終端部に排出するように構成したものにおいて、扱室からの藁屑類を処理室に円滑に引き継ぐと共に、処理室での脱穀処理室能力を高め耐久性を向上させる脱穀処理装置を提供しようとするものである。
【課題を解決するための手段】
【０００４】
前記問題点を解決するために、この発明は次のような技術的手段を講じた。
【０００５】
請求項１の発明は、扱胴３の軸心が前後方向に軸架されている扱室２の側方に処理胴１１の軸心が前後方向に軸架されている処理室８を設け、前記扱室２及び処理室８の下方に唐箕１４から後側に向けて送風される選別風路１６を設け、該選別風路１６には揺動選別棚１７を前後往復揺動自在に設け、前記選別風路１６の終端側に塵埃類排出用の横断流ファン１３を設け、処理室８の後処理室８ｂの始端部と扱室２の終端部とを送塵通路９により連通し、後処理室８ｂに軸架している後処理胴１１ｂの前記送塵通路９に対応する始端部の板体の前処理歯２８，…を回転下手側が終端側に後退する後退角を形成するように構成し、後処理室８ｂの終端側の前記選別風路１６の終端部に対応する後処理胴１１ｂの終端部の板体の後処理歯２９，…を回転下手側が終端側に後退する後退角を形成するように構成し、後処理胴１１ｂの中間部の中間処理歯３１，…を回転軸心に対して略直交する板体で構成し、且つ、中間処理歯３１，…の回転側面に接近する切り刃３２，…を設けたことを特徴とする脱穀選別装置とする。
【０００６】
前記構成によると、扱胴３で脱穀された脱穀物は扱室２の受網４から漏下して下方の揺動選別棚１７に落下し、処理胴１１で脱穀処理された脱穀物は処理室８の処理網１２から漏下して揺動選別棚１７に落下して唐箕１４からの選別風を受けながら揺動選別され、穀粒及び二番物は下方に落下選別され、浮上した塵埃類は選別風路１６の終端側から横断流ファン１３により吸引排出され、藁屑類は揺動選別棚１７の後端から機外に排出される。また、扱室２の終端部に送られた藁屑類は送塵通路９を経て処理室８の後処理室８ｂ始端部に引き継がれ、後処理胴１１ｂ始端側の板体で回転下手側に後退角の形成されている前処理歯２８，…により掻き込まれて終端側に送られ、次いで、後処理胴１１ｂの中間部の回転軸心に対して略直交するように回転する板体の中間処理歯３１，…と切り刃３２，…により脱穀処理され、次いで、後処理胴１１ｂの終端側の板体で回転下手側に後退角の形成されている後処理歯２９，…により選別風路１６の終端部に掻き出され、揺動選別棚１７の終端部で選別される。
【０００７】
請求項２の発明は、後処理室１１ｂの始端部から終端部にかけて藁屑類を終端側に案内するガイド板３３，…を設け、後処理胴１１ｂの前処理歯２８，…及び中間処理歯３１，…を板体で側面視略四辺形に構成したことを特徴とする請求項１に記載の脱穀選別装置とする。
【０００８】
前記構成によると、請求項１の発明の前記作用に加えて、前処理歯２８，…、中間処理歯３１，…と後処理室１１ｂの始端部から終端部にかけ設けられているガイド板３３，…とにより、扱室２からの藁屑類は円滑に引き継がれて終端側へ移送されながら脱穀処理され、板体で側面視略四辺形の前処理歯２８，…及び中間処理歯３１，…により耐久性を高めながら切り刃３２による藁屑類の切断能力を高めつつ脱穀処理することができる。
【０００９】
請求項３の発明は、処理室８を扱室２の側方に位置する前処理胴１１ａの設けられている前処理室８ａと前処理室８ａの後端部から後方に延長され且つ後処理胴１１ｂの設けられている後処理室８ｂにより構成し、揺動選別棚１７で選別された二番物を前処理室８ａの始端側に供給可能に構成し、扱室２の受網４を側方の前処理室８ａに対向する上受網４ａと下方の揺動選別棚１７に対向する下受網４ｂとに分割すると共に、上受網４ａの目合いを下受網４ｂの目合いよりも大きく構成し、前記前処理室８ａの前処理胴１１ａの下方には穀粒の漏下しない孔無しの処理樋３７に配置したことを特徴とする請求項１に記載の脱穀選別装置とする。
【００１０】
前記構成によると、請求項１の発明の前記作用に加えて、扱室２の脱穀物は大きな目合いの上受網４ａから前処理室８ａに漏下供給され、前処理室８ａの始端側に二番物が供給されて終端側に送られながら脱穀処理され、前処理室８ａでの脱穀処理物は孔無しの処理樋３７上を終端側に送られて、まとめて下方の揺動選別棚１７に落下供給されて選別される。
【発明の効果】
【００１１】
請求項１の発明は、扱室２の終端側から処理室８の後処理室８ｂの始端部への藁屑類の引継ぎが円滑になり、後処理室８ｂでの脱穀処理能力を高めて脱穀処理物の後処理室８ｂから揺動選別棚１７への漏下を多くし、揺動選別棚１７の選別性能を高めることができる。
【００１２】
請求項２の発明は、請求項１の発明の前記効果に加えて、後処理胴１１ｂの前処理歯２８，…及び中間処理歯３１，…の耐久性を高めながら藁屑類の引継ぎ及び終端側への送り効果を高め、円滑に脱穀処理することができる。
【００１３】
請求項３の発明は、請求項１の発明の前記効果に加えて、扱室２から前処理室８ａへの脱穀物の漏下供給が円滑化し、前処理室８ａの底部には孔無しの処理樋３７を設けたので、前処理室８ａで脱穀処理された穀粒と未脱穀の枝梗付き穀粒が処理樋３７上を共に終端側に移動しながら脱穀処理され、処理樋３７上に溜った穀粒により枝梗付き穀粒の移動が遅くなって脱穀処理が促進され二番物の脱穀処理性能を高めることができる。
【発明を実施するための最良の形態】
【００１４】
以下本発明の実施の一形態を図面に基づき説明する。
【００１５】
図１〜図３は本発明を具備するコンバインの脱穀部を示している。脱穀部は、フィードチエン１により穀稈の株元を挟持しながら搬送して穂先部を扱室２内に挿入して回転駆動される扱歯３ａ，…付きの扱胴３により脱穀するように構成し、脱穀処理されて受網４を漏下した脱穀処理物は下方の選別部６で一番穀粒、枝梗付き穀粒等の二番物及び藁屑類の三番物に選別され、選別された一番穀粒は一番揚穀機（図示省略）によりグレンタンク（図示省略）に揚穀貯溜され、選別された二番物は二番揚穀機７により処理室８に還元されて再度脱穀処理され、選別された三番物の藁屑類の一部は後部から横断流ファン１３により機外に排出され、残部の藁屑類は選別部６の後端部から機外に排出される構成である。
【００１６】
また、扱室２の右側方には前後方向に沿わせて処理室８を配置している。この処理室８を扱室２の右側方に沿う小径の前処理室８ａと、前処理室８ａの後端部から後方に伸びるように配置されている大径の後処理室８ｂで構成されていて、前処理室８ａには小径の処理胴１１ａを回転自在に軸架し、後処理室８ｂには大径の処理胴１１ｂを同一軸心回りに回転するように軸架している。
【００１７】
そして、前処理室８ａの後側端部には二番揚穀機７からの二番物が揚穀還元され、二番物は小径の処理胴１１ａにより前側に送りながら再度の脱穀処理がなされる。また、後処理室８ｂの前側端部と扱室２の後側端部とを送塵通路９により連通し、扱室２の未脱穀物が送塵通路９から後処理室８ｂに送り込まれ、大径の処理胴１１ｂにより後側に送られながら脱穀処理され、後処理室８ｂの後側端部から藁屑類は選別部６の後部に落下排出され選別される構成である。
【００１８】
次に、選別部６について更に具体的に説明する。選別部６は、唐箕１４から後側に向けて選別風の送られる選別風路１６と、選別風路１６に前後に往復揺動自在に支持されていて扱室２からの脱穀物を後側に揺動移送しながら比重選別する揺動選別棚１７と、選別された一番穀粒を受ける一番ラセン１８ａ付き一番受樋１８と、選別された二番物を受ける二番ラセン１９ａ付き二番受樋１９と、揺動選別棚１７で選別されて後側に吹き飛ばされた藁屑類の一部を機外に排出する横断流ファン１３等により構成されている。
【００１９】
次に、揺動選別棚１７について説明する。揺動選別棚１７の平面長方形状の中抜き揺動選別枠体１７ａは、スライド支持機構（図示省略）とクランク揺動機構（図示省略）により機体に前後往復揺動自在に支持されていて、揺動選別枠体１７ａの内側上部には、前側部から後側部にかけて移送突起付きの穀粒移送板２１、網体のグレンシーブ２２、チャフシーブ２３、ストローラック２４からなる粗選別部Ａを設け、揺動選別枠体ａの内側下部には前側部から後側部にかけて下穀粒移送板２６と、網体の下グレンシーブ２７からなる精選別部Ｂを設けている。
【００２０】
しかして、扱室２の受網４及び処理室８の処理網１２から漏下した脱穀物は揺動選別棚１７の穀粒移送板２１に受けられて後側に移送され、穀粒はグレンシーブ２２から漏下して下方の精選別部Ｂに落下し、藁屑類はグレンシーブ２２上を通って後側のチャフシーブ２３に移送され、扱室２の排塵口２ａからストローラック２３上に落下した藁屑類と共に選別され、藁屑類に混じっている穀粒は下方の精選別部Ｂに落下選別され、更に、藁屑類はチャフシーブ２３から後側のストローラック２４に移送されながら選別され、枝梗付き穀粒の二番物は下方の二番受樋１９に落下選別され、藁屑類はストローラック２４の後側端部から後機外に排出される。また、精選別部Ｂに落下し穀粒や小さな藁屑類は下穀粒移送板２６により後側に揺動移送され、穀粒は下グレンシーブ２７から漏下し一番受樋１８に落下選別され、小さな藁屑類は下グレンシーブ２７上を後側に送られて選別風路１６の後側端部から機外に排出される。
【００２１】
また、横断流ファン１３の吸入部にゴム等の弾性材からなる横断流ファンガイド４４を揺動選別棚１７の左右全幅にわたって垂下し、その下端部を揺動選別棚１７のチャフシーブ２３とストローラック２４の境界部上方に接近するように設け、揺動選別棚１７のチャフシーブ２３とストローラック２４の境界部の左右両側には横断流ファン１３に向けて選別風を案内する左右のサイドガイド４６，４６を設け、揺動選別棚１７のストローラック２４の後端部後方にはゴム等の柔軟性材からなる後カバー４７を揺動選別棚１７の左右全幅にわたって垂下し、この後カバー４７の下端部を揺動選別棚１７の後端上部後方に位置するように延長し、後カバー４７により選別風路１６の後端部を閉鎖するように構成している。そして、一番受樋１８と二番受樋１９との間に第二唐箕４８を配設し、補助選別風が横断流ファン１３に向けて流れるように構成している。
【００２２】
しかして、唐箕１４及び第二唐箕４８から選別風路１６に流れた選別風は横断流ファンガイド４４及び左右のサイドガイド４６、４６により横断流ファン１３に向けて案内され、揺動選別棚１７から浮上した塵埃類は横断流ファン１３に円滑に流入し機外に排出される。また、揺動選別棚１７のチャフシーブ２３上に多くの藁屑類が揺動移送されると、横断流ファンガイド４４により藁屑類は受け止められて一時的に停滞し十分な揺動選別作用を受け藁屑類の刺さり粒が落下選別される。また、横断流ファンガイド４４は柔軟性材で構成されているので、藁屑類が所定量溜ると横断流ファンガイド４４の下部を押し上げながら後側に移動し、藁屑類の詰まりを防止しながら選別される。次いで、ストローラック２４に送られた藁屑類は後カバー４７により一時的に受けとめられながら揺動選別され、刺さり粒が落下されて機外に排出される。
【００２３】
従って、揺動選別棚１７上に藁屑類が大量に発生した場合にも、藁屑類と穀粒の分離が促進されて穀粒の三番飛散が少なくなり、藁屑類の詰まりを防止しながら一番穀粒の選別精度を向上させることができる。
【００２４】
また、選別部６を図４に示すように構成してもよい。即ち、選別部６の前側上部に第三唐箕４９を追加して設け、第三唐箕４９により揺動選別棚１７の上方に後側に向けて選別風を送りながら選別する。
【００２５】
また、選別部６を図５に示すように構成してもよい。即ち、横断流ファン１３の吸入部にはゴム等の弾性材からなる横断流ファンガイド４４を全幅にわたって垂下し、その下端部を揺動選別棚１７のチャフシーブ２３とストローラック２４の境界部上方に接近するようにし、揺動選別棚１７のチャフシーブ２３とストローラック２４の境界部左右両側に左右のサイドガイド４６，４６を設けて、選別風を横断流ファン１３に向けて案内するように構成し、選別部６の前側上部に第三唐箕４９を設けて、揺動選別棚１７の上方に後側に向けて選別風を送るように構成する。
【００２６】
しかして、唐箕１４及び第三唐箕４９から後側に流れた選別風は横断流ファンガイド４４及び左右のサイドガイド４６、４６により掬い取るように横断流ファン１３に向けて案内され、この選別風により揺動選別棚１７から浮上した塵埃類は横断流ファン１３に吸い込まれ機外に排出される。また、揺動選別棚１７のチャフシーブ２３上の藁屑類は横断流ファンガイド４４により受け止められて一時的に停滞しながら揺動選別され、藁屑類の刺さり粒が良好に落下選別される。
【００２７】
また、選別部６を図６のように構成してもよい。即ち、横断流ファン１３の吸入部にはゴム等の弾性材からなる横断流ファンガイド４４を垂下して設け、その下端部を揺動選別棚１７のストローラック２４の後端部後方に接近するようにして側面視後下がりの傾斜状に構成している。また、揺動選別棚１７のチャフシーブ２３とストローラック２４の境界部左右両側には、左右のサイドガイド４６，４６を設けて選別風を横断流ファン１３に向けて案内するように構成する。
【００２８】
一番受樋１８と二番受樋１９との間に第二唐箕４８を配設し、補助選別風が横断流ファン１３に向けて流れるように構成する。そして、揺動選別棚１７のストローラック２４の後端部後方にはゴム等の柔軟性材からなる後カバー４７を左右全幅にわたって垂下し、この後カバー４７の下端部を揺動選別棚１７の後端上部から少し下方まで延長し、且つ、横断流ファンガイド４４の下端部より下方まで延長し、後カバー４７により選別風路１６の後端部を閉鎖するようにしている。
【００２９】
しかして、唐箕１４及び第二唐箕４８から二番受樋１９に流れた選別風は、揺動選別棚１７のストローラック２４を通過した後横断流ファンガイド４４により前上りの傾斜面に沿って横断流ファン１３に案内される。従って、ストローラック２４上の藁屑類は横断流ファンガイド４４により受け止められて一時的に停滞しながら揺動選別され、藁屑類の刺さり粒が良好に落下選別され、穀粒の三番飛散を少なくすることができる。また、横断流ファンガイド４４に多くの藁屑類が溜り横断流ファンガイド４４が後側に持ち上げられて変形しても、後側の後カバー４７により選別風の流れは遮断されているので穀粒の三番飛散を少なくすることができる。
【００３０】
また、選別部６を図７に示すように構成してもよい。即ち、揺動選別棚１７のチャフシーブ２３とストローラック２４の境界部左右両側には、左右のサイドガイド４６，４６を設けて選別風を横断流ファン１３に向けて案内するように構成し、一番受樋１８と二番受樋１９との間に第二唐箕４８を配設し、補助選別風が二番受樋１９を通って横断流ファン１３に流れるように構成し、揺動選別棚１７のストローラック２４の後端部後方にはゴム等の柔軟性材からなる後カバー４７を左右全幅にわたって垂下し、後カバー４７の下端部を揺動選別棚１７の後端上部から少し下方まで延長し、後カバー４７により選別風路１６の後端部を閉鎖するようにしている。
【００３１】
しかして、揺動選別棚１７のチャフシーブ２３上を通過してストローラック２４に送られた藁屑類は、唐箕１４と第二唐箕４８からの豊富な選別風により揺動選別され、しかも、ストローラック２４の後側部に到達した藁屑類は後カバー４７により受けとめられて一時的に停滞しながら選別され、藁屑類が所定量になると後カバー４７を押し上げながら排出されるので、刺さり粒の選別が促進され穀粒の三番飛散を少なくすることができる。
【００３２】
また、選別部６を図８に示すように構成してもよい。即ち、横断流ファン１３の吸入部にはゴム等の弾性材からなる横断流ファンガイド４４を左右全幅にわたって垂下し、その下端部を揺動選別棚１７のチャフシーブ２３とストローラック２４の境界部上方に接近するように臨ませている。揺動選別棚１７のストローラック２４の後端部後方にはゴム等の柔軟性材からなる後カバー４７を左右全幅にわたって垂下し、この後カバー４７の下端部を揺動選別棚１７の後端上部よりも少し下方まで延長し、後カバー４７により選別風路１６の後端部を閉鎖している。そして、揺動選別棚１７のチャフシーブ２３とストローラック２４の境界部における左右両側に左右のサイドガイド４６，４６を設け、選別風を横断流ファン１３に向けて案内するように構成している。
【００３３】
しかして、揺動選別棚１７のチャフシーブ２３に送られた藁屑類は横断流ファンガイド４４により一時的に受けとめられて唐箕１４からの選別風により揺動選別される。また、揺動選別棚１７のストローラック２４に送られた藁屑類は後カバー４７により一時的に受け止められて揺動選別されて刺さり粒の選別が促進され、穀粒の三番飛散を少なくすることができる。
【００３４】
また、選別部６を図９に示すように構成してもよい。即ち、横断流ファン１３の吸入部にはゴム等の弾性材からなる横断流ファンガイド４４を左右全幅にわたって垂下し、その下端部を揺動選別棚１７のチャフシーブ２３とストローラック２４の境界部上方に接近するように臨ませている。また、揺動選別棚１７のチャフシーブ２３とストローラック２４の境界部左右両側に左右のサイドガイド４６，４６を設けて、選別風を横断流ファン１３に向けて案内するように構成し、一番受樋１８と二番受樋１９との間に第二唐箕４８を配設し、補助選別風が横断流ファン１３に向けて流れるように構成する。
【００３５】
しかして、揺動選別棚１７のチャフシーブ２３に送られた藁屑類は横断流ファンガイド４４に一時的に受け止められて、唐箕１４と第二唐箕４８からの豊富な選別風により揺動選別され、刺さり粒の選別が促進され穀粒の三番飛散を少なくすることができる。
【００３６】
次に、図１０〜図１２に基づき揺動選別棚１７の他の実施例について説明する。
【００３７】
揺動選別棚１７の平面長方形状の中抜き揺動選別枠体１７ａの内側上部には、前側部から後側部にかけて移送突起付きの穀粒移送板２１、網体のグレンシーブ２２、チャフシーブ２３、ストローラック２４、チャフシーブ２３の上方に位置する前側ストローラック５１からなる粗選別部Ａを設け、揺動選別枠体ａの内側下部には前側部から後側部にかけて下穀粒移送板２６と、網体の下グレンシーブ２７からなる精選別部Ｂを設けている。
【００３８】
そして、前側ストローラック５１の前側部を扱室２の排塵口２ａの下方に対向して配置し、前側ストローラック５１の前側部を、受け板５１ａと、受け板５１ａに左右に所定間隔を空けて前後方向に沿わせて取り付けられているストローラック体５１ｂ，…と、受け板５１ａのストローラック体５１ｂ，…の間に設けられている移送突起５１ｃ，…とにより構成し、後側部を長短の篩い線５１ｄ，…を交互に並列して構成し、前側ストローラック体５１ｂ，…及び移送突起５１ｃ，…の扱室２の挿入側に対応する部分のみ、即ち図１１の（１）の下側部分のみを後側部が内側に位置するように傾斜状に配設している。
【００３９】
前側ストローラック５１を前記のように構成することにより、扱室２の排塵口２ａから落下した外側の藁屑類を揺動選別棚１７の中央寄りに集めながら揺動選別棚１７から落下することなく円滑に選別することができる。
【００４０】
次に、図２、図１３〜図１６に基づき後処理室８ｂの後処理胴１１ｂの処理刃について説明する。
【００４１】
後処理室８ｂの前側端部と扱室２の後側端部とを送塵通路９により連通し、後処理室８ｂの始端側である後処理胴１１ｂの送塵通路９に対応する入口部には、図１３に示すように、板体で側面視略四辺形状の前処理歯２８，…を回転下手側ほど後側に位置するように後退角を形成するように取り付け、扱歯３の扱歯３ａから送り込まれる藁屑類を引継ぎ後側に送るように構成している。また、後処理室８ｂの出口部に対応する後処理胴１１ｂの後側端部の選別風路１６への排出部には、図１５に示すように、板体で側面視略四辺形状の後処理歯２９，…を回転下手側ほど後側に位置するように後退角を形成するように取り付け、後側に送られた藁屑類を斜め後方に掻き出し選別風路１６の終端部に送るように構成している。
【００４２】
また、後処理胴１１ｂの入口部から出口部までの中間部には、板体で側面視略四辺形状の中間処理歯３１，…を軸心に対して処理歯板面が略直交して回転するように取り付け、中間処理歯３１，…の回転側面に接近するように切り刃３２，…を設け、藁屑類の後側への移送を遅らせながら中間処理歯３１ａ，…と切り刃３２，…により切断し脱穀処理性能を高めるように構成している。
【００４３】
そして、後処理室１１ｂの入口部から出口部にかけてガイド板３３，…を設けている。このガイド板３３は中間処理歯３１，…に対向するように後処理室８ｂの扱室２の反対側に設けらられていて、後側ほど内側に位置するような傾斜状に構成し、藁屑類を後側に案内するように構成している。しかして、中間処理歯３１，…と一緒に回転している藁屑類はガイド板３３，…により剥ぎ取り後側へ送られる。
【００４４】
また、前処理歯２８，…は板体で側面視で略四辺形として先端部の回転方向前後を角形に構成して耐久性を高め、藁屑類の掻込性能の向上を図りながら後側への送り性能を向上させている。
【００４５】
また、中間処理歯３１，…は、板体で側面視略四辺形として先端部の回転方向前後部を角形にして処理歯の耐久性を向上させ、また、中間処理歯３１，…を切り刃３２，…に対して接近して回転させることにより、藁屑類の挾み角を大きくして切断性能を良好にし、脱穀穀粒の処理網１２からの漏下の向上を図っている。また、その中央部に例えば略四辺形の開口部３１ａを構成して、処理歯の軽量化を図っている。また、後処理歯２９，…は板体で側面視略四辺形にしその先端の回転方向前後部に円み形成している。
【００４６】
次に、図１７に基づき扱室２の受網４の他の実施例について説明する。
【００４７】
扱室２と処理室８を前後方向に並行に配置して受網４により仕切り、この受網４を上受網４ａと下受網４ｂとで上下に二分割し、円弧状の上受網４ａの下端部と円弧状の下受網４ｂの上端部とを連結し、上受網４ａと下受網４ｂを円弧状の嵌合溝３４に嵌合して、扱胴３の扱歯３ａ，…の周面に沿うように配置し、上受網４ａ及び下受網４ｂの端部を上下の取付具３６，３６を介して機体に支持している。
【００４８】
そして、前処理室８ａ及び後処理室８ｂ側に脱穀物の漏れる上受網４ａの目合いを、下側の揺動選別棚１７側に脱穀物の漏れる下受網４ｂの目合いよりも大きく構成している。また、前処理室８ａの前処理胴１１ａの下方には穀粒の漏下しない孔無しの処理樋３７に配置し、二番揚穀機７により二番物を前処理室８ａの後端部に揚穀還元し、前処理胴１１ａにより前側に送りながら脱穀処理するように構成している。しかして、前処理胴１１ａにより脱穀処理された脱穀処理物は処理樋３７により受けられて後側から前側まで送られ、前処理室８ａの前側の排塵口３８から揺動選別棚１７の前側部に落下還元されて再選別される。
【００４９】
前処理室８ａの底部を穀粒の漏下する処理網により構成すると、処理網からの穀粒の漏下が多くなると、枝梗付き穀粒の前側への移動が速くなり脱穀処理が十分にできないという不具合が発生していた。しかし、前記のように前処理室８ａの前処理胴１１ａ下部に穀粒の漏下しない処理樋３７を設けることにより、前処理室８ａで脱穀処理された穀粒と未脱穀の枝梗付き穀粒が共に前側に移動し、処理樋３７上に溜った穀粒により枝梗付き穀粒にブレーキがかけられて脱穀処理が十分になされる。また、脱穀処理物を前処理室８ａの前側の排塵口３８から揺動選別棚１７の前側部に還元し再選別するので、穀粒の回収を確実化し穀粒の三番飛散を少なくすることができる。
【００５０】
次に、図１８及び図１９により扱室２の脱穀構成の他の実施例について説明する。
【００５１】
扱室２の扱胴３を軸架している前後の側板３９，３９をフレーム４１で連結して強化し、このフレーム４１に脱穀ガイド板４２を取り付け、この脱穀ガイド板４２には扱歯３ａ，…の嵌入回転する凹溝４２ａ，…を櫛状に形成している。
【００５２】
しかして、扱胴３の扱歯３ａ，…が脱穀ガイド板４２の凹溝４２ａ，…に嵌入しながら回転すると、脱穀物が凹溝４２ａ，…を通過する際に穀稈に付着している穀粒が掻き取られて穀稈と分離し、穀稈の刺さり粒を少なくすることができる。また、剛性のあるフレーム４１に脱穀ガイド板４２を取り付けることにより、脱穀ガイド板４２の変形が防止されて前記効果を長期にわたって保持することができる。
【００５３】
また、フレーム４１に脱穀ガイド板４２を取り付けるにあたり、図２０及び図２１に示すように、ボルト・ナット間にバネ等の緩衝材４３を介装して取り付け、脱穀過負荷時に脱穀ガイド板４２が外側に退避可能に取り付けるようにしてもよい。脱穀過負荷時には脱穀ガイド板４２が退避し扱胴３の詰まりを解消することができる。
【００５４】
また、脱穀ガイド板４２を図２２に示すように構成してもよい。即ち、脱穀ガイド板４２の凹溝４２ａ，…を後側の扱歯３ａ，…に対応するものほど例えば回転方向手前側に偏位させて配設してもよい。このように構成することにより、前後の凹溝４２ａ，…により扱歯３ａ，…からの脱穀物を順次ずらしながら掻き取ることにより、脱穀負荷を均等化し穀稈の刺さり粒を掻き取ることができる。
【図面の簡単な説明】
【００５５】
【図１】脱穀装置の切断平面図。
【図２】脱穀装置の切断側面図。
【図３】脱穀装置の切断正面図。
【図４】脱穀装置の切断側面図。
【図５】脱穀装置の切断側面図。
【図６】脱穀装置の切断側面図。
【図７】脱穀装置の切断側面図。
【図８】脱穀装置の切断側面図。
【図９】脱穀装置の切断側面図。
【図１０】脱穀装置の切断側面図。
【図１１】（１）揺動選別棚の平面図。
【００５６】
（２）揺動選別棚の側面図。
【図１２】揺動選別棚の斜視図。
【図１３】後処理胴の入口部の切断正面図。
【図１４】後処理胴の中間部の切断正面図。
【図１５】後処理胴の出口部の切断正面図。
【図１６】扱室の切断背面図。
【図１７】扱室及び前処理室の切断正面図。
【図１８】扱室の切断側面図。
【図１９】扱室の切断背面図。
【図２０】扱室の切断側面図。
【図２１】扱室の切断背面図。
【図２２】脱穀ガイド板の側面図。
【符号の説明】
【００５７】
２    扱室
３    扱胴
４    受網
４ａ    上受網
４ｂ    下受網
８    処理室
８ａ    前処理室
８ｂ    後処理室
９    送塵通路
１１    処理胴
１１ａ    前処理胴
１１ｂ    後処理胴
１３    横断流ファン
１４    唐箕
１６    選別風路
１７    揺動選別棚
２８    前処理歯
２９    後処理歯
３１    中間処理歯
３２    切り刃
３３    ガイド
３７    処理樋
【図１】
2006006205.tif 000003
【図２】
2006006205.tif 000004
【図３】
2006006205.tif 000005
【図４】
2006006205.tif 000006
【図５】
2006006205.tif 000007
【図６】
2006006205.tif 000008
【図７】
2006006205.tif 000009
【図８】
2006006205.tif 000010
【図９】
2006006205.tif 000011
【図１０】
2006006205.tif 000012
【図１１】
2006006205.tif 000013
【図１２】
2006006205.tif 000014
【図１３】
2006006205.tif 000015
【図１４】
2006006205.tif 000016
【図１５】
2006006205.tif 000017
【図１６】
2006006205.tif 000018
【図１７】
2006006205.tif 000019
【図１８】
2006006205.tif 000020
【図１９】
2006006205.tif 000021
【図２０】
2006006205.tif 000022
【図２１】
2006006205.tif 000023
【図２２】
2006006205.tif 000024